(57)【要約】【課題】  駐車場などの限られた場所の融雪を、簡易な工事と低コストで経済的に行うことのできる装置を提供する。【解決手段】  下部に練炭Ｃを燃焼させるための焜炉３を収納し、その直上に不凍液Ｌを充填した充填容器４を収納し、地上に設置した装置本体２と、充填容器４の上部に始端が連結され、融雪場所Ｐを経由して終端が充填容器４の下部に連結され、少なくとも融雪場所Ｐにおいて地中の浅い部分に水平に配置した融雪管５と、融雪管５の地上部分に設けられた循環ポンプ６と、を備える。練炭Ｃを燃焼させた際の高熱Ｈで充填容器４内の不凍液Ｌを加温し、循環ポンプ６で加温した不凍液Ｌを融雪管５に循環させ、融雪場所Ｐの雪を融かす。【選択図】      図１
2009041223.tif 000002
【特許請求の範囲】
【請求項１】
駐車場などの限られた場所の融雪を行う装置であって、地上に設置され，下部に練炭を燃焼させるための焜炉を収納し，その直上に不凍液を充填した充填容器を収納した装置本体と、前記充填容器の上部に始端が連結され，融雪場所を経由して終端が前記充填容器の下部に連結され，少なくとも前記融雪場所において地中の浅い部分に水平に配置した融雪管と、前記融雪管の地上部分に設けられた循環ポンプと、を備えてなり、前記練炭を燃焼させた際の高熱で前記充填容器内の不凍液を加温し，前記循環ポンプで前記加温した不凍液を融雪管に循環させ，前記融雪場所の雪を融かしてなることを特徴とする練炭式地面融雪装置。
【請求項２】
充填容器に，練炭を燃焼させた際の高熱を通過させ，前記充填容器内の不凍液を効率的に加温するための煙管を縦方向に複数，貫通して設けたことを特徴とする請求項１に記載の練炭式地面融雪装置。
【請求項３】
融雪管の，融雪場所よりも装置本体の側に熱交換器を設けたことを特徴とする請求項１または２に記載の練炭式地面融雪装置。
【請求項４】
駐車場などの限られた場所の融雪を行う装置であって、地上に設置され，下部に練炭を燃焼させるための焜炉を収納し，その直上に不凍液を充填した充填容器を収納した装置本体と、前記充填容器の上部に始端が連結され，融雪場所を経由して終端が前記充填容器の下部に連結され，少なくとも前記融雪場所において地中の浅い部分に水平に配置した融雪管と、前記融雪管の地上部分に設けられた循環ポンプと、を備え、前記練炭を燃焼させた際の高熱で前記充填容器内の不凍液を加温し，前記循環ポンプで前記加温した不凍液を融雪管に循環させ，前記融雪場所の雪を融かしてなるものにおいて、前記充填容器に，練炭を燃焼させた際の高熱を通過させ，前記充填容器内の不凍液を効率的に加温するための煙管を縦方向に複数，貫通して設け、前記融雪管の，融雪場所よりも装置本体の側に熱交換器を設け、前記装置本体の下端部に，空気取入口を設けると共に，上端部に煙突を設け、前記融雪パイプの少なくとも，始端近傍，終端近傍，および循環ポンプの下流側にゲート弁を設けたことを特徴とする練炭式地面融雪装置。
【発明の詳細な説明】
【技術分野】
【０００１】
本発明は、練炭を燃焼させて不凍液を加温し、その加温した不凍液を循環させて、例えば、駐車場などの限られた場所の融雪を行う装置に関するものである。
【背景技術】
【０００２】
従来、道路などの広い場所の融雪を行う装置として、地中熱を利用したものが創案されている（例えば、特許文献１参照）。この装置は、自然エネルギーである地中熱を利用するため、経済的であり、環境保全の点からも好ましい等、多くの優れた特長を有する。
【特許文献１】特開２００３−３０１４３４号公報
【発明の開示】
【発明が解決しようとする課題】
【０００３】
しかし、この地中熱を利用した融雪装置は、複数の採熱管を地中深く埋設する必要があるため、ある程度大掛かりな工事とコストが必要となる。この装置は、道路などの広い場所を融雪するには、そうした工事とコストに見合う効果を得ることができる。しかし、例えば、駐車場などのさほど広くない限られた場所を融雪するには、さらに簡易で経済的な装置の出現が望まれる。
【０００４】
本発明はこうした問題に鑑み創案されたもので、例えば、駐車場などの限られた場所の融雪を、簡易な工事と低コストで経済的に行うことのできる装置を提供することを課題とする。
【課題を解決するための手段】
【０００５】
図１乃至図６を参照して説明する。請求項１に記載の練炭式地面融雪装置１は、駐車場などの限られた場所の融雪を行う装置であって、地上に設置され、下部に練炭Ｃを燃焼させるための焜炉３を収納し、その直上に不凍液Ｌを充填した充填容器４を収納した装置本体２と、前記充填容器４の上部に始端が連結され、融雪場所Ｐを経由して終端が前記充填容器４の下部に連結され、少なくとも前記融雪場所Ｐにおいて地中の浅い部分に水平に配置した融雪管５と、前記融雪管５の地上部分に設けられた循環ポンプ６と、を備えてなり、前記練炭Ｃを燃焼させた際の高熱Ｈで前記充填容器４内の不凍液Ｌを加温し、前記循環ポンプ６で前記加温した不凍液Ｌを融雪管５に循環させ、前記融雪場所Ｐの雪を融かしてなることを特徴とする。
【０００６】
請求項２に記載の練炭式地面融雪装置１は、請求項１に記載の発明において、充填容器４に、練炭Ｃを燃焼させた際の高熱Ｈを通過させ、前記充填容器４内の不凍液Ｌを効率的に加温するための煙管４ａを縦方向に複数、貫通して設けたことを特徴とする。
【０００７】
請求項３に記載の練炭式地面融雪装置１は、請求項１または２に記載の発明において、融雪管５の、融雪場所Ｐよりも装置本体２の側に熱交換器１１を設けたことを特徴とする。
【０００８】
請求項４に記載の練炭式地面融雪装置１は、駐車場などの限られた場所の融雪を行う装置であって、地上に設置され、下部に練炭Ｃを燃焼させるための焜炉３を収納し、その直上に不凍液Ｌを充填した充填容器４を収納した装置本体２と、前記充填容器４の上部に始端が連結され、融雪場所Ｐを経由して終端が前記充填容器４の下部に連結され、少なくとも前期融雪場所Ｐに置いて地中の浅い部分に水平に配置した融雪管５と、前記融雪管５の地上部分に設けられた循環ポンプ６と、を備え、前記練炭Ｃを燃焼させた際の高熱Ｈで前記充填容器４内の不凍液Ｌを加温し、前記循環ポンプ６で前記加温した不凍液Ｌを融雪管５に循環させ、前記融雪場所Ｐの雪を融かしてなるものである。
【０００９】
また、前記充填容器４に、練炭Ｃを燃焼させた際の高熱Ｈを通過させ、前記充填容器４内の不凍液Ｌを効率的に加温するための煙管４ａを縦方向に複数、貫通して設け、前記融雪管５の、融雪場所Ｐよりも装置本体２の側に熱交換器１１を設け、前記装置本体２の下端部に、空気取入口７を設けると共に上端部に煙突８を設け、さらに、前記融雪パイプの少なくとも、始端近傍、終端近傍、および循環ポンプ６の下流側にゲート弁９を設けたことを特徴とする。
【発明の効果】
【００１０】
請求項１に記載の練炭式地面融雪装置１は、装置本体２、融雪管５の所定部分（少なくとも融雪場所Ｐに配置した部分）を除く部分、および循環ポンプ６を地上に設け、また、融雪管５の所定部分も地中の浅い部分に水平に配置するので、大掛かりな工事を必要とせず、設置コストを廉価に抑えることができ、経済的である。
【００１１】
また、練炭Ｃを燃焼させ、その際の高熱Ｈで不凍液Ｌを加温し、その加温した不凍液Ｌを融雪管５に循環させて融雪を行うので、運転コストも廉価で経済的である。練炭Ｃは、低価格で、火力が強く、燃焼時間が長いといった特長を持つ。従って、例えば、灯油を燃焼させる場合と比較してコストを低減でき、経済性に優れる。
【００１２】
請求項２に記載の練炭式地面融雪装置１は、請求項１に記載の発明と同様の効果を発揮する。また、充填容器４に、練炭Ｃを燃焼させた際の高熱Ｈを通過させる煙管４ａを縦方向に複数、貫通して設けているので、当該充填容器４の高熱Ｈに接触する面積を増大させることができる。これにより、充填容器４内の不凍液Ｌをより効率的に加温することができ、融雪をさらに効果的かつ経済的に行うことができる。
【００１３】
請求項３に記載の練炭式地面融雪装置１は、請求項１および２に記載の発明と同様の効果を発揮する。また、融雪管５の、融雪場所Ｐよりも装置本体２の側に熱交換器１１を設けているので、当該熱交換器１１によって融雪場所Ｐに配置した融雪管５を流れる不凍液Ｌをさらに加温することができる。これによって、融雪をさらに効果的かつ経済的に行うことができる。
【００１４】
請求項４に記載の練炭式地面融雪装置１は、請求項１乃至３に記載の発明と同様に、簡易な工事によって低コストで経済的に行うことができる。また、装置本体２の下端部に空気取入口７を設けると共に、上端部に煙突８を設けているので、練炭Ｃの燃焼に必要な酸素を充分に供給することができる。これにより、練炭Ｃの燃焼を促進し、不凍液Ｌを効率的に加温し、さらに効果的かつ経済的な融雪を行うことができる。
【００１５】
また、融雪パイプの少なくとも、始端近傍、終端近傍、および循環ポンプ６の下流側にゲート弁９を設けているので、このゲート弁９を操作することによって、例えば、積雪の量に応じて融雪管５を循環する不凍液Ｌの量を自在に調節することができる。これにより、さらに効果的で経済的な融雪を行うことができる。
【発明を実施するための最良の形態】
【００１６】
本発明に係る練炭式地面融雪装置１の第一実施形態を、図１乃至図５に示す。これは、１０台程度の自動車を駐車することのできる駐車場の融雪を行う装置であり、装置本体２、融雪管５、および循環ポンプ６を備える。
【００１７】
装置本体２は、地上に設置され、その下部に練炭Ｃを燃焼させるための焜炉３を複数（三つ）収納し、その直上に不凍液Ｌを充填した充填容器４を収納するものである。なお、装置本体２の前面には、焜炉３や練炭Ｃを出し入れするための開口扉２ａを設けている。また、その外周面には保温材１０を設け、充填容器４内の不凍液Ｌを保温するようにしている。融雪管５は、充填容器４の上部に始端が連結され、融雪場所Ｐを経由して終端が充填容器４の下部に連結されている。この融雪管５は、融雪場所Ｐにおいては地中の浅い部分に水平に配置されており、それ以外の部分は地上に配置されている。また、循環ポンプ６は、融雪管５の地上部分に設けられている。
【００１８】
なお、本実施形態では、充填容器４に、練炭Ｃを燃焼させた際の高熱Ｈを通過させ、充填容器４内の不凍液Ｌを効率的に加温するための煙管４ａを縦方向に複数、貫通して設けている。また、装置本体２の下端部に、空気取入口７を設けると共に、上端部に煙突８を設けている。さらに、融雪パイプの始端近傍、終端近傍、および循環ポンプ６の下流側にゲート弁９を設けている。
【００１９】
本実施形態に係る練炭式地面融雪装置１は、次のように作用する。まず、コン炉内の練炭Ｃを燃焼させ、その際に発生する高熱Ｈによって充填容器４内の不凍液Ｌを加温する。この際、装置本体２の下端部には空気取入口７が設けられ、上端部に煙突８が設けられているので、練炭Ｃの燃焼に必要な酸素が充分に供給される。また、充填容器４には、縦方向に複数の煙管４ａが貫通して設けられているので、高熱Ｈがその煙管４ａを通過し、充填容器４内の不凍液Ｌを効率的に加温することができる。
【００２０】
また、上記した不凍液Ｌの加温と共に全てのゲート弁９を開放し、循環ポンプ６を稼動する。この際、ゲート弁９は、駐車場の積雪量によってその開放程度を調整することができる。循環ポンプ６を稼動することによって、不凍液Ｌが融雪管５を循環し、駐車場（融雪場所Ｐ）で放熱して融雪し、充填容器４に戻される。そして、ここで再び加温されて融雪管５を循環し、融雪を行う。
【００２１】
本実施形態に係る練炭式地面融雪装置１は、装置本体２、融雪管５の所定部分（融雪場所Ｐに配置した部分）を除く部分、および循環ポンプ６を地上に設け、また、融雪管５の所定部分も地中の浅い部分に水平に配置しているので、設置工事が簡易である。従って、設置コストを廉価に抑えることができ、経済性に優れる。
【００２２】
また、この装置１は、練炭Ｃを燃焼させて不凍液Ｌを加温するものであり、当該練炭Ｃは、低価格で火力が強く、燃焼時間が長いといった特長を備えているので、運転コストを抑えることができる。従って、きわめて効率的かつ経済的に融雪することができる。
【００２３】
本発明に係る練炭式地面融雪装置１の第二実施形態を、図６に示す。この装置１も駐車場などのさほど広くない限られた場所を融雪するものであり、その特徴は、融雪管５の地上に配置されている箇所に熱交換器（ヒートポンプ）１１を設けたことである。そして、融雪管５の、熱交換器１１より装置本体２の側を一次配管部５ａとし、融雪場所Ｐの側を二次配管部５ｂとしている。そして、一次配管部５ａから供給された不凍液Ｌの熱を、熱交換器１１によって上昇させ、その上昇した高熱Ｈを二次配管部５ｂの不凍液Ｌに供給している。
【００２４】
これによって二次配管部５ｂを流れる不凍液Ｌを一次配管部５ａを流れる不凍液Ｌの温度よりさらに高めることができ、融雪をさらに効果的かつ経済的に行うことができる。なお、この二次配管部５ｂにも、循環ポンプ６とゲート弁９を設けている。
【００２５】
なお、上記二つの実施形態では、融雪場所Ｐを駐車場としているが、本発明はこれに限定されず、例えば、幹線道路から会社の社屋に通じる短い道路や歩道等にも適用することができる。
【図面の簡単な説明】
【００２６】
【図１】本発明に係る練炭式地面融雪装置の第一実施形態を示す正面図である。
【図２】図１に示す装置の装置本体を示す部分断面正面図である。
【図３】図１の平面図である。
【図４】図２のＸ−Ｘ線断面図である。
【図５】図２のＹ−Ｙ線断面図である。
【図６】本発明に係る練炭式地面融雪装置の第二実施形態を示す部分正面図である。
【符号の説明】
【００２７】
１        練炭式地面融雪装置
２        装置本体
２ａ      開口扉
３        焜炉
４        充填容器
４ａ      煙管
５        融雪管
５ａ      一次配管部
５ｂ      二次配管部
６        循環ポンプ
７        空気取入口
８        煙突
９        ゲート弁
１０      保温材
１１      熱交換器
Ｃ        練炭
Ｈ        高熱
Ｌ        不凍液
Ｐ        融雪場所
【図１】
2009041223.tif 000003
【図２】
2009041223.tif 000004
【図３】
2009041223.tif 000005
【図４】
2009041223.tif 000006
【図５】
2009041223.tif 000007
【図６】
2009041223.tif 000008